【手続補正書】
【提出日】平成24年3月26日(2012.3.26)
【手続補正１】
【補正対象書類名】明細書
【補正対象項目名】０００８
【補正方法】変更
【補正の内容】
【０００８】
前記目的を果たすため、本発明の液晶表示素子の一態様は、それぞれ電極が形成された互いに対向する面に、互いに９０°を成す方向に配向処理が施された前側基板及び後側基板と、前記前側基板及び前記後側基板の間に液晶分子を９０°のツイスト角でツイスト配向させて設けられた液晶層を有する液晶素子と、前記前側基板に対して前記液晶層側とは反対側に、前記前側基板の配向処理の方向に対して透過軸が４５°の角を成すように配置された前側偏光板と、前記後側基板に対して前記液晶層側とは反対側に、前記前側偏光板の透過軸に対して透過軸が９０°の角を成すように配置された後側偏光板と、前記液晶素子と前記前側偏光板との間に配置された前側光学異方性フィルムであって、該前側光学異方性フィルムのフィルム面の法線に対し特定方向に傾いた方向の屈折率が最小となる負の光学異方性を有し、該特定方向を該フィルム面へ投影した方向と前記前側基板の配向処理の方向との成す角は０°である、前側光学異方性フィルムと、前記液晶素子と前記後側偏光板との間に配置された後側光学異方性フィルムであって、該後側光学異方性フィルムのフィルム面の法線に対し特定方向に傾いた方向の屈折率が最小となる負の光学異方性を有し、該特定方向を該フィルム面へ投影した方向と前記後側基板の配向処理の方向との成す角は０°である、後側光学異方性フィルムと、前記後側偏光板と前記後側光学異方性フィルムとの間に配置された位相差板であって、該位相差板の板面に沿った最も屈折率が大きい方向、該板面に沿った最も屈折率が大きい方向と直交する方向、該板面の法線方向をそれぞれｓ１軸、ｆ１軸、ｚ１軸とし、該ｓ１軸、該ｆ１軸、該ｚ１軸の方向の屈折率をそれぞれｎｓ１、ｎｆ１、ｎｚ１としたとき、該ｎｓ１、該ｎｆ１、該ｎｚ１は、ｎｓ１＞ｎｆ１＝ｎｚ１の関係を有し、該ｓ１軸と前記後側偏光板の透過軸との成す角は０°である、位相差板と、を具備する、ことを特徴とする。
【手続補正２】
【補正対象書類名】明細書
【補正対象項目名】０００９
【補正方法】変更
【補正の内容】
【０００９】
また、本発明の液晶表示素子の別の一態様は、それぞれ電極が形成された互いに対向する面に、互いに９０°を成す方向に配向処理が施された前側基板及び後側基板と、前記前側基板及び前記後側基板の間に液晶分子を９０°のツイスト角でツイスト配向させて設けられた液晶層を有する液晶素子と、前記前側基板に対して前記液晶層側とは反対側に、前記前側基板の配向処理の方向に対して透過軸が４５°の角を成すように配置された前側偏光板と、前記後側基板に対して前記液晶層側とは反対側に、前記前側偏光板の透過軸に対して透過軸が９０°の角を成すように配置された後側偏光板と、前記液晶素子と前記前側偏光板との間に配置された前側光学異方性フィルムであって、該前側光学異方性フィルムのフィルム面の法線に対し特定方向に傾いた方向の屈折率が最小となる負の光学異方性を有し、該特定方向を該フィルム面へ投影した方向と前記前側基板の配向処理の方向との成す角は０°である、前側光学異方性フィルムと、前記液晶素子と前記後側偏光板との間に配置された後側光学異方性フィルムであって、該後側光学異方性フィルムのフィルム面の法線に対し特定方向に傾いた方向の屈折率が最小となる負の光学異方性を有し、該特定方向を該フィルム面へ投影した方向と前記後側基板の配向処理の方向との成す角は０°である、後側光学異方性フィルムと、前記前側偏光板と前記前側光学異方性フィルムとの間に配置された第１の位相差板であって、該第１の位相差板の板面に沿った最も屈折率が大きい方向、該板面に沿った最も屈折率が大きい方向と直交する方向、該板面の法線方向をそれぞれｓ１軸、ｆ１軸、ｚ１軸とし、該ｓ１軸、該ｆ１軸、該ｚ１軸の方向の屈折率をそれぞれｎｓ１、ｎｆ１、ｎｚ１としたとき、該ｎｓ１、該ｎｆ１、該ｎｚ１は、ｎｓ１＞ｎｆ１＝ｎｚ１の関係を有し、該第１の位相差板のｓ１軸と前記前側光学異方性フィルムの光学軸との成す角は０°である、第１の位相差板と、前記後側偏光板と前記後側光学異方性フィルムとの間に配置された第２の位相差板であって、該第２の位相差板の板面に沿った最も屈折率が大きい方向、該板面に沿った最も屈折率が大きい方向と直交する方向、該板面の法線方向をそれぞれｓ２軸、ｆ２軸、ｚ２軸とし、該ｓ２軸、該ｆ２軸、該ｚ２軸の方向の屈折率をそれぞれｎｓ２、ｎｆ２、ｎｚ２としたとき、該ｎｓ２、該ｎｆ２、該ｎｚ２は、ｎｓ２＞ｎｆ２＝ｎｚ２の関係を有し、該第２の位相差板のｓ２軸と前記後側光学異方性フィルムの光学軸との成す角は０°である、第２の位相差板と、前記後側偏光板と前記第２の位相差板との間に配置された第３の位相差板であって、該第３の位相差板の板面に沿った最も屈折率が大きい方向、該板面に沿った最も屈折率が大きい方向と直交する方向、該板面の法線方向をそれぞれｓ３軸、ｆ３軸、ｚ３軸とし、該ｓ３軸、該ｆ３軸、該ｚ３軸の方向の屈折率をそれぞれｎｓ３、ｎｆ３、ｎｚ３としたとき、該ｎｓ３、該ｎｆ３、該ｎｚ３は、ｎｓ３＞ｎｆ３＝ｎｚ３の関係を有し、該第３の位相差板のｓ３軸と前記後側偏光板の透過軸との成す角は０°である、第３の位相差板と、を具備する、ことを特徴とする。
【手続補正３】
【補正対象書類名】明細書
【補正対象項目名】００１０
【補正方法】変更
【補正の内容】
【００１０】
また、本発明の液晶表示素子の光学補償方法の一態様は、それぞれ電極が形成された互いに対向する面に、互いに９０°を成す方向に配向処理が施された前側基板及び後側基板と、前記前側基板及び前記後側基板の間に液晶分子を９０°のツイスト角でツイスト配向させて設けられた液晶層を有する液晶素子と、前記前側基板に対して前記液晶層側とは反対側に配置される前側偏光板と、前記後側基板に対して前記液晶層側とは反対側に該前側偏光板の透過軸に対して透過軸が９０°の角を成すように配置される後側偏光板と、における、前記前側基板の配向処理の方向と前記前側偏光板の透過軸との成す角を決定する工程と、前記液晶素子と前記前側偏光板との間に配置される、フィルム面の法線に対し特定方向に傾いた方向の屈折率が最小となる負の光学異方性を有する前側光学異方性フィルムと、該液晶素子と前記後側偏光板との間に配置される、フィルム面の法線に対し特定方向に傾いた方向の屈折率が最小となる負の光学異方性を有する後側光学異方性フィルムと、における、前記前側基板の配向処理の方向と該前側光学異方性フィルムの特定方向を該前側光学異方性フィルムのフィルム面へ投影した方向との成す角と、前記後側基板の配向処理の方向と該後側光学異方性フィルムの特定方向を該後側光学異方性フィルムのフィルム面へ投影した方向との成す角と、を前記前側基板と前記後側基板との間に前記液晶層の液晶分子が立ち上がり配向する電場を形成させた時の当該液晶表示素子に表示される輝度の最大値が最小となる様に決定する工程と、前記前側偏光板と前記前側光学異方性フィルムとの間及び前記後側偏光板と前記後側光学異方性フィルムとの間のうち少なくとも一方に配置される位相差板における、該位相差板の板面に沿った最も屈折率が大きい方向、該板面に沿った最も屈折率が大きい方向と直交する方向、該板面の法線方向をそれぞれｓ軸、ｆ軸、ｚ軸とし、該ｓ軸、該ｆ軸、該ｚ軸の方向の屈折率をそれぞれｎｓ、ｎｆ、ｎｚとしたとき、前記後側偏光板の透過軸と該位相差板のｓ軸との成す角と、該ｎｓ、該ｎｆ、該ｎｚそれぞれの値及び該位相差板の厚さの組み合わせと、を前記前側基板と前記後側基板との間に前記液晶層の液晶分子が立ち上がり配向する電場を形成させた時の当該液晶表示素子に表示される輝度の最大値が最小となる様に決定する工程と、を有する、ことを特徴とする。
【手続補正４】
【補正対象書類名】明細書
【補正対象項目名】００１１
【補正方法】変更
【補正の内容】
【００１１】
また、本発明の液晶表示素子の光学補償方法の別の一態様は、それぞれ電極が形成された互いに対向する面に、互いに９０°を成す方向に配向処理が施された前側基板及び後側基板と、前記前側基板及び前記後側基板の間に液晶分子を９０°のツイスト角でツイスト配向させて設けられた液晶層を有する液晶素子と、前記前側基板に対して前記液晶層側とは反対側に配置される前側偏光板と、前記後側基板に対して前記液晶層側とは反対側に該前側偏光板の透過軸に対して透過軸が９０°の角を成すように配置される後側偏光板と、における、前記液晶素子の前側基板の配向処理の方向と前記前側偏光板の透過軸との成す角を決定する工程と、前記液晶素子と前記前側偏光板との間に配置される、フィルム面の法線に対し特定方向に傾いた方向の屈折率が最小となる負の光学異方性を有する前側光学異方性フィルムと、該液晶素子と前記後側偏光板との間に配置される、フィルム面の法線に対し特定方向に傾いた方向の屈折率が最小となる負の光学異方性を有する後側光学異方性フィルムとにおける、前記前側基板の配向処理の方向と該前側光学異方性フィルムの特定方向を該前側光学異方性フィルムのフィルム面へ投影した方向との成す角と、前記後側基板の配向処理の方向と該後側光学異方性フィルムの特定方向を該後側光学異方性フィルムのフィルム面へ投影した方向との成す角と、を前記前側基板と前記後側基板との間に前記液晶層の液晶分子が立ち上がり配向する電場を形成させた時の当該液晶表示素子に表示される輝度の最大値が最小となる様に決定する工程と、前記前側偏光板と前記前側光学異方性フィルムとの間に配置される第１の位相差板と、前記後側偏光板と前記後側光学異方性フィルムとの間に配置される第２の位相差板と、における、前記第１の位相差板の板面に沿った最も屈折率が大きい方向、該板面に沿った最も屈折率が大きい方向と直交する方向、該板面の法線方向をそれぞれｓ１軸、ｆ１軸、並びにｚ１軸とし、該ｓ１軸、該ｆ１軸、該ｚ１軸の方向の屈折率をそれぞれｎｓ１、ｎｆ１、ｎｚ１とし、前記第２の位相差板の板面に沿った最も屈折率が大きい方向、該板面に沿った最も屈折率が大きい方向と直交する方向、該板面の法線方向をそれぞれｓ２軸、ｆ２軸、ｚ２軸とし、該ｓ２軸、該ｆ２軸、該ｚ２軸の方向の屈折率をそれぞれｎｓ２、ｎｆ２、ｎｚ２としたとき、前記前側偏光板の透過軸と該第１の位相差板のｓ１軸との成す角と、該ｎｓ１、該ｎｆ１、該ｎｚ１のそれぞれの値及び該第１の位相差板の厚さｄ１の組み合わせと、前記前側偏光板の透過軸と該第２の位相差板のｓ２軸との成す角と、該ｎｓ２、該ｎｆ２、該ｎｚ２のそれぞれの値及び該第２の位相差板の厚さｄ２の組み合わせと、を前記前側基板と後側基板との間に電場を形成していない時の当該液晶表示素子に表示される輝度の最小値が最大となる様に決定する工程と、前記前側偏光板と前記第１の位相差板との間及び前記後側偏光板と前記第２の位相差板との間のうち少なくとも一方に配置される位相差板における、該位相差板の板面に沿った最も屈折率が大きい方向、該板面に沿った最も屈折率が大きい方向と直交する方向、該板面の法線方向をそれぞれｓ軸、ｆ軸、ｚ軸とし、該ｓ軸、該ｆ軸、該ｚ軸の方向の屈折率をそれぞれｎｓ、ｎｆ、ｎｚとしたとき、前記後側偏光板の透過軸と該位相差板のｓ軸との成す角と、該ｎｓ、該ｎｆ、該ｎｚのそれぞれの値及び該位相差板の厚さの組み合わせと、を前記前側基板と前記後側基板との間に前記液晶層の液晶分子が立ち上がり配向する電場を形成させた時の当該液晶表示素子に表示される輝度の最大値が最小となる様に決定する工程と、を有する、ことを特徴とする。
【手続補正５】
【補正対象書類名】明細書
【補正対象項目名】００１９
【補正方法】変更
【補正の内容】
【００１９】
本実施形態に係る液晶表示素子を設計するにあたっては、まず、視野角特性をその良否を確認しながら、液晶セル１の前側水平配向膜１６及び後側水平配向膜１９の配向方向と、前側偏光板２及び後側偏光板３の透過軸と、の位置関係を決定する。次に、前記液晶セル１、前側偏光板２、及び後側偏光板３からなる液晶表示素子の視野角特性を改善するために、前側視野角補償フィルム４及び後側視野角補償フィルム５の挿入を検討する。ここでも、これらの光学軸の位置関係を、視野角特性をその良否を確認しながら決定する。そして、更に視野角特性を改善するために、黒補償用位相差板９の挿入を検討する。ここでも、これらの光学軸の位置関係を、視野角特性をその良否を確認しながら決定する。
【手続補正６】
【補正対象書類名】明細書
【補正対象項目名】００６５
【補正方法】変更
【補正の内容】
【００６５】
本実施形態に係る液晶表示素子を設計するにあたっては、まず、視野角特性をその良否を確認しながら、液晶セル１の前側水平配向膜１６及び後側水平配向膜１９の配向方向と、前側偏光板２及び後側偏光板３の透過軸と、の位置関係を決定する。次に、前記液晶セル１、前側偏光板２、及び後側偏光板３からなる液晶表示素子の視野角特性を改善するために、前側視野角補償フィルム４及び後側視野角補償フィルム５の挿入を検討する。ここでも、これらの光学軸の位置関係を、視野角特性をその良否を確認しながら決定する。そして、更に視野角特性を改善するために、前側白補償用位相差板６及び後側白補償用位相差板７の挿入を検討する。ここでも、これらの光学軸の位置関係を、視野角特性をその良否を確認しながら決定する。更に、視野角特性を改善するため、黒補償用位相差板９の挿入を検討し、これらの光学軸の位置関係を、視野角特性をその良否を確認しながら決定する。
【手続補正７】
【補正対象書類名】明細書
【補正対象項目名】００６８
【補正方法】変更
【補正の内容】
【００６８】
図１１を参照して当該液晶表示素子の光学的な構成を説明する。図１１における軸及び角度の定義は、図２におけるそれと同じである。液晶セル１の光学的な構成を、図１１の４段目に示す。前側水平配向膜１６に刻まれた溝の向きである前側水平配向膜配向方向１６ａは、水平軸１ｈに対して＋４５°の方向であり、後側水平配向膜１９に刻まれた溝の向きである後側水平配向膜配向方向１９ａは、水平軸１ｈに対して−４５°の方向である。但し、実際にはこの角度に製造誤差等が含まれるため、本実施例においても第１の実施例の場合と同様に、±５°の幅をもたせて考えるものとする。従って、図１１には「＋４５°±５°」及び「−４５°±５°」と記載している。
【手続補正８】
【補正対象書類名】特許請求の範囲
【補正対象項目名】全文
【補正方法】変更
【補正の内容】
【特許請求の範囲】
【請求項１】
それぞれ電極が形成された互いに対向する面に、互いに９０°を成す方向に配向処理が施された前側基板及び後側基板と、
前記前側基板及び前記後側基板の間に液晶分子を９０°のツイスト角でツイスト配向させて設けられた液晶層を有する液晶素子と、
前記前側基板に対して前記液晶層側とは反対側に、前記前側基板の配向処理の方向に対して透過軸が４５°の角を成すように配置された前側偏光板と、
前記後側基板に対して前記液晶層側とは反対側に、前記前側偏光板の透過軸に対して透過軸が９０°の角を成すように配置された後側偏光板と、
前記液晶素子と前記前側偏光板との間に配置された前側光学異方性フィルムであって、該前側光学異方性フィルムのフィルム面の法線に対し特定方向に傾いた方向の屈折率が最小となる負の光学異方性を有し、該特定方向を該フィルム面へ投影した方向と前記前側基板の配向処理の方向との成す角は０°である、前側光学異方性フィルムと、
前記液晶素子と前記後側偏光板との間に配置された後側光学異方性フィルムであって、該後側光学異方性フィルムのフィルム面の法線に対し特定方向に傾いた方向の屈折率が最小となる負の光学異方性を有し、該特定方向を該フィルム面へ投影した方向と前記後側基板の配向処理の方向との成す角は０°である、後側光学異方性フィルムと、
前記後側偏光板と前記後側光学異方性フィルムとの間に配置された位相差板であって、該位相差板の板面に沿った最も屈折率が大きい方向、該板面に沿った最も屈折率が大きい方向と直交する方向、該板面の法線方向をそれぞれｓ１軸、ｆ１軸、ｚ１軸とし、該ｓ１軸、該ｆ１軸、該ｚ１軸の方向の屈折率をそれぞれｎｓ１、ｎｆ１、ｎｚ１としたとき、該ｎｓ１、該ｎｆ１、該ｎｚ１は、ｎｓ１＞ｎｆ１＝ｎｚ１の関係を有し、該ｓ１軸と前記後側偏光板の透過軸との成す角は０°である、位相差板と、
を具備する、
ことを特徴とする液晶表示素子。
【請求項２】
前記前側光学異方性フィルム及び前記後側光学異方性フィルムは、それぞれディスコティック液晶を有することを特徴とする請求項１に記載の液晶表示素子。
【請求項３】
前記前側基板と前記後側基板とは矩形であり、
前記前側基板の配向処理の方向と前記前側基板の一辺との成す角は４５°である、
ことを特徴とする請求項１乃至請求項２のうち何れか１項に記載の液晶表示素子。
【請求項４】
前記前側基板の配向処理の方向は、該前側基板の左右方向に延びる水平軸の右側方向に対して、該前側基板側から該前側基板の法線方向に該液晶表示素子を観察して反時計回りとなる方向に４５°回転させた方向であり、
前記後側基板の配向処理の方向は、前記前側基板の配向処理の方向に対して、該前側基板側から該前側基板の法線方向に該液晶表示素子を観察して時計回りとなる方向に９０°回転させた方向である、
ことを特徴とする請求項１乃至請求項３のうち何れか１項に記載の液晶表示素子。
【請求項５】
前記前側偏光板の透過軸の方向は、前記前側基板の配向処理の方向に対して、該前側基板側から該前側基板の法線方向に該液晶表示素子を観察して反時計回りとなる方向に４５°回転させた方向であることを特徴とする請求項１乃至請求項４のうち何れか１項に記載の液晶表示素子。
【請求項６】
前記液晶層の屈折率異方性Δｎと該液晶層の厚さｄとの積であるΔｎ・ｄの値は４５０ｎｍ以上５５０ｎｍ以下であり、
前記位相差板の厚さをｄ１としたとき、該位相差板に関する（ｎｓ１−ｎｆ１）ｄ１の値は１００ｎｍ以上２００ｎｍ以下である、
ことを特徴とする請求項１乃至請求項５のうち何れか１項に記載の液晶表示素子。
【請求項７】
前記位相差板に関する（ｎｓ１−ｎｆ１）ｄ１の値は実質的に１６０ｎｍであることを特徴とする請求項６に記載の液晶表示素子。
【請求項８】
前記前側偏光板と前記前側光学異方性フィルムとの間に配置された前側位相差板であって、
該前側位相差板の板面に沿った最も屈折率が大きい方向、該板面に沿った最も屈折率が大きい方向と直交する方向、該板面の法線方向をそれぞれｓ２軸、ｆ２軸、ｚ２軸とし、該ｓ２軸、該ｆ２軸、該ｚ２軸の方向の屈折率をそれぞれｎｓ２、ｎｆ２、ｎｚ２としたとき、該ｎｓ２、該ｎｆ２、該ｎｚ２は、それぞれ前記ｎｓ１、前記ｎｆ１、前記ｎｚ１と等しく、該ｓ２軸と前記後側偏光板の透過軸との成す角は０°である、前側位相差板を更に具備し、
前記液晶層の屈折率異方性Δｎと該液晶層の厚さｄとの積であるΔｎ・ｄの値は４５０ｎｍ以上５５０ｎｍ以下であり、
前記位相差板の厚さをｄ１とし、前記前側位相差板の厚さをｄ２としたとき、該位相差板及び該前側位相差板に関する（ｎｓ１−ｎｆ１）（ｄ１＋ｄ２）の値は１００ｎｍ以上２００ｎｍ以下である、
ことを特徴とする請求項１乃至請求項５のうち何れか１項に記載の液晶表示素子。
【請求項９】
前記位相差板に関する（ｎｓ１−ｎｆ１）ｄ１の値及び前記前側位相差板に関する（ｎｓ２−ｎｆ２）ｄ２の値は共に実質的に８０ｎｍであることを特徴とする請求項８に記載の液晶表示素子。
【請求項１０】
それぞれ電極が形成された互いに対向する面に、互いに９０°を成す方向に配向処理が施された前側基板及び後側基板と、
前記前側基板及び前記後側基板の間に液晶分子を９０°のツイスト角でツイスト配向させて設けられた液晶層を有する液晶素子と、
前記前側基板に対して前記液晶層側とは反対側に、前記前側基板の配向処理の方向に対して透過軸が４５°の角を成すように配置された前側偏光板と、
前記後側基板に対して前記液晶層側とは反対側に、前記前側偏光板の透過軸に対して透過軸が９０°の角を成すように配置された後側偏光板と、
前記液晶素子と前記前側偏光板との間に配置された前側光学異方性フィルムであって、該前側光学異方性フィルムのフィルム面の法線に対し特定方向に傾いた方向の屈折率が最小となる負の光学異方性を有し、該特定方向を該フィルム面へ投影した方向と前記前側基板の配向処理の方向との成す角は０°である、前側光学異方性フィルムと、
前記液晶素子と前記後側偏光板との間に配置された後側光学異方性フィルムであって、該後側光学異方性フィルムのフィルム面の法線に対し特定方向に傾いた方向の屈折率が最小となる負の光学異方性を有し、該特定方向を該フィルム面へ投影した方向と前記後側基板の配向処理の方向との成す角は０°である、後側光学異方性フィルムと、
前記前側偏光板と前記前側光学異方性フィルムとの間に配置された第１の位相差板であって、該第１の位相差板の板面に沿った最も屈折率が大きい方向、該板面に沿った最も屈折率が大きい方向と直交する方向、該板面の法線方向をそれぞれｓ１軸、ｆ１軸、ｚ１軸とし、該ｓ１軸、該ｆ１軸、該ｚ１軸の方向の屈折率をそれぞれｎｓ１、ｎｆ１、ｎｚ１としたとき、該ｎｓ１、該ｎｆ１、該ｎｚ１は、ｎｓ１＞ｎｆ１＝ｎｚ１の関係を有し、該第１の位相差板のｓ１軸と前記前側光学異方性フィルムの光学軸との成す角は０°である、第１の位相差板と、
前記後側偏光板と前記後側光学異方性フィルムとの間に配置された第２の位相差板であって、該第２の位相差板の板面に沿った最も屈折率が大きい方向、該板面に沿った最も屈折率が大きい方向と直交する方向、該板面の法線方向をそれぞれｓ２軸、ｆ２軸、ｚ２軸とし、該ｓ２軸、該ｆ２軸、該ｚ２軸の方向の屈折率をそれぞれｎｓ２、ｎｆ２、ｎｚ２としたとき、該ｎｓ２、該ｎｆ２、該ｎｚ２は、ｎｓ２＞ｎｆ２＝ｎｚ２の関係を有し、該第２の位相差板のｓ２軸と前記後側光学異方性フィルムの光学軸との成す角は０°である、第２の位相差板と、
前記後側偏光板と前記第２の位相差板との間に配置された第３の位相差板であって、該第３の位相差板の板面に沿った最も屈折率が大きい方向、該板面に沿った最も屈折率が大きい方向と直交する方向、該板面の法線方向をそれぞれｓ３軸、ｆ３軸、ｚ３軸とし、該ｓ３軸、該ｆ３軸、該ｚ３軸の方向の屈折率をそれぞれｎｓ３、ｎｆ３、ｎｚ３としたとき、該ｎｓ３、該ｎｆ３、該ｎｚ３は、ｎｓ３＞ｎｆ３＝ｎｚ３の関係を有し、該第３の位相差板のｓ３軸と前記後側偏光板の透過軸との成す角は０°である、第３の位相差板と、
を具備する、
ことを特徴とする液晶表示素子。
【請求項１１】
前記前側光学異方性フィルム及び前記後側光学異方性フィルムは、それぞれディスコティック液晶を有することを特徴とする請求項１０に記載の液晶表示素子。
【請求項１２】
前記前側基板と前記後側基板とは矩形であり、
前記前側基板に施された配向処理の方向と前記前側基板の一辺との成す角は４５°である、
ことを特徴とする請求項１０乃至請求項１１のうち何れか１項に記載の液晶表示素子。
【請求項１３】
前記前側基板の配向処理の方向は、該前側基板の左右方向に延びる水平軸の右側方向に対して、該前側基板側から該前側基板の法線方向に該液晶表示素子を観察して反時計回りとなる方向に４５°回転させた方向であり、
前記後側基板の配向処理の方向は、前記前側基板の配向処理の方向に対して、該前側基板側から該前側基板の法線方向に該液晶表示素子を観察して時計回りとなる方向に９０°回転させた方向である、
ことを特徴とする請求項１０乃至請求項１２のうち何れか１項に記載の液晶表示素子。
【請求項１４】
前記前側偏光板の透過軸の方向は、前記前側基板の配向処理の方向に対して、該前側基板側から該前側基板の法線方向に該液晶表示素子を観察して反時計回りとなる方向に４５°回転させた方向であることを特徴とする請求項１０乃至請求項１３のうち何れか１項に記載の液晶表示素子。
【請求項１５】
前記液晶層の屈折率異方性Δｎと該液晶層の厚さｄとの積であるΔｎ・ｄの値は３５０ｎｍ以上４５０ｎｍ以下であり、
前記第１の位相差板の厚さをｄ１としたとき、該第１の位相差板に関する（ｎｓ１−ｎｆ１）ｄ１の値は１５ｎｍ以上６５ｎｍ以下であり、
前記第２の位相差板の厚さをｄ２としたとき、該第２の位相差板に関する（ｎｓ２−ｎｆ２）ｄ２の値は１５ｎｍ以上６５ｎｍ以下であり、
前記第３の位相差板の厚さをｄ３としたとき、該第３の位相差板に関する（ｎｓ３−ｎｆ３）ｄ３の値は８０ｎｍ以上１８０ｎｍ以下である、
ことを特徴とする請求項１０乃至請求項１４のうち何れか１項に記載の液晶表示素子。
【請求項１６】
前記第１の位相差板に関する（ｎｓ１−ｎｆ１）ｄ１の値は実質的に４５ｎｍであり、
前記第２の位相差板に関する（ｎｓ２−ｎｆ２）ｄ２の値は実質的に４５ｎｍであり、
前記第３の位相差板に関する（ｎｓ３−ｎｆ３）ｄ３の値は実質的に１４０ｎｍである、
ことを特徴とする請求項１５に記載の液晶表示素子。
【請求項１７】
前記前側偏光板と前記第１の位相差板との間に配置された第４の位相差板であって、  該第４の位相差板の板面に沿った最も屈折率が大きい方向、該板面に沿った最も屈折率が大きい方向と直交する方向、該板面の法線方向をそれぞれｓ４軸、ｆ４軸、ｚ４軸とし、該ｓ４軸、該ｆ４軸、該ｚ４軸の方向の屈折率をそれぞれｎｓ４、ｎｆ４、ｎｚ４としたとき、該ｎｓ４、該ｎｆ４、該ｎｚ４は、それぞれ前記ｎｓ３、前記ｎｆ３、前記ｎｚ３と等しく、該第４の位相差板のｓ４軸と前記後側偏光板の透過軸との成す角は０°である、第４の位相差板を更に具備し、
前記液晶層の屈折率異方性Δｎと該液晶層の厚さｄとの積であるΔｎ・ｄの値は３５０ｎｍ以上４５０ｎｍ以下であり、
前記第１の位相差板の厚さをｄ１としたとき、該第１の位相差板に関する（ｎｓ１−ｎｆ１）ｄ１の値は１５ｎｍ以上６５ｎｍ以下であり、
前記第２の位相差板の厚さをｄ２としたとき、該第２の位相差板に関する（ｎｓ２−ｎｆ２）ｄ２の値は１５ｎｍ以上６５ｎｍ以下であり、
前記第３の位相差板の厚さをｄ３とし、前記第４の位相差板の厚さをｄ４としたとき、該第３の位相差板及び該第４の位相差板に関する（ｎｓ３−ｎｆ３）（ｄ３＋ｄ４）の値は８０ｎｍ以上１８０ｎｍ以下である、
ことを特徴とする請求項１０乃至請求項１５のうち何れか１項に記載の液晶表示素子。
【請求項１８】
前記第３の位相差板に関する（ｎｓ３−ｎｆ３）ｄ３の値及び前記第４の位相差板に関する（ｎｓ４−ｎｆ４）ｄ４の値は共に実質的に７０ｎｍであることを特徴とする請求項１７に記載の液晶表示素子。
【請求項１９】
それぞれ電極が形成された互いに対向する面に、互いに９０°を成す方向に配向処理が施された前側基板及び後側基板と、前記前側基板及び前記後側基板の間に液晶分子を９０°のツイスト角でツイスト配向させて設けられた液晶層を有する液晶素子と、前記前側基板に対して前記液晶層側とは反対側に配置される前側偏光板と、前記後側基板に対して前記液晶層側とは反対側に該前側偏光板の透過軸に対して透過軸が９０°の角を成すように配置される後側偏光板と、における、前記前側基板の配向処理の方向と前記前側偏光板の透過軸との成す角を決定する工程と、
前記液晶素子と前記前側偏光板との間に配置される、フィルム面の法線に対し特定方向に傾いた方向の屈折率が最小となる負の光学異方性を有する前側光学異方性フィルムと、該液晶素子と前記後側偏光板との間に配置される、フィルム面の法線に対し特定方向に傾いた方向の屈折率が最小となる負の光学異方性を有する後側光学異方性フィルムと、における、前記前側基板の配向処理の方向と該前側光学異方性フィルムの特定方向を該前側光学異方性フィルムのフィルム面へ投影した方向との成す角と、前記後側基板の配向処理の方向と該後側光学異方性フィルムの特定方向を該後側光学異方性フィルムのフィルム面へ投影した方向との成す角と、を前記前側基板と前記後側基板との間に前記液晶層の液晶分子が立ち上がり配向する電場を形成させた時の当該液晶表示素子に表示される輝度の最大値が最小となる様に決定する工程と、
前記前側偏光板と前記前側光学異方性フィルムとの間及び前記後側偏光板と前記後側光学異方性フィルムとの間のうち少なくとも一方に配置される位相差板における、該位相差板の板面に沿った最も屈折率が大きい方向、該板面に沿った最も屈折率が大きい方向と直交する方向、該板面の法線方向をそれぞれｓ軸、ｆ軸、ｚ軸とし、該ｓ軸、該ｆ軸、該ｚ軸の方向の屈折率をそれぞれｎｓ、ｎｆ、ｎｚとしたとき、前記後側偏光板の透過軸と該位相差板のｓ軸との成す角と、該ｎｓ、該ｎｆ、該ｎｚそれぞれの値及び該位相差板の厚さの組み合わせと、を前記前側基板と前記後側基板との間に前記液晶層の液晶分子が立ち上がり配向する電場を形成させた時の当該液晶表示素子に表示される輝度の最大値が最小となる様に決定する工程と、
を有する、
ことを特徴とする液晶表示素子の光学補償方法。
【請求項２０】
それぞれ電極が形成された互いに対向する面に、互いに９０°を成す方向に配向処理が施された前側基板及び後側基板と、前記前側基板及び前記後側基板の間に液晶分子を９０°のツイスト角でツイスト配向させて設けられた液晶層を有する液晶素子と、前記前側基板に対して前記液晶層側とは反対側に配置される前側偏光板と、前記後側基板に対して前記液晶層側とは反対側に該前側偏光板の透過軸に対して透過軸が９０°の角を成すように配置される後側偏光板と、における、前記液晶素子の前側基板の配向処理の方向と前記前側偏光板の透過軸との成す角を決定する工程と、
前記液晶素子と前記前側偏光板との間に配置される、フィルム面の法線に対し特定方向に傾いた方向の屈折率が最小となる負の光学異方性を有する前側光学異方性フィルムと、該液晶素子と前記後側偏光板との間に配置される、フィルム面の法線に対し特定方向に傾いた方向の屈折率が最小となる負の光学異方性を有する後側光学異方性フィルムとにおける、前記前側基板の配向処理の方向と該前側光学異方性フィルムの特定方向を該前側光学異方性フィルムのフィルム面へ投影した方向との成す角と、前記後側基板の配向処理の方向と該後側光学異方性フィルムの特定方向を該後側光学異方性フィルムのフィルム面へ投影した方向との成す角と、を前記前側基板と前記後側基板との間に前記液晶層の液晶分子が立ち上がり配向する電場を形成させた時の当該液晶表示素子に表示される輝度の最大値が最小となる様に決定する工程と、
前記前側偏光板と前記前側光学異方性フィルムとの間に配置される第１の位相差板と、前記後側偏光板と前記後側光学異方性フィルムとの間に配置される第２の位相差板と、における、前記第１の位相差板の板面に沿った最も屈折率が大きい方向、該板面に沿った最も屈折率が大きい方向と直交する方向、該板面の法線方向をそれぞれｓ１軸、ｆ１軸、並びにｚ１軸とし、該ｓ１軸、該ｆ１軸、該ｚ１軸の方向の屈折率をそれぞれｎｓ１、ｎｆ１、ｎｚ１とし、前記第２の位相差板の板面に沿った最も屈折率が大きい方向、該板面に沿った最も屈折率が大きい方向と直交する方向、該板面の法線方向をそれぞれｓ２軸、ｆ２軸、ｚ２軸とし、該ｓ２軸、該ｆ２軸、該ｚ２軸の方向の屈折率をそれぞれｎｓ２、ｎｆ２、ｎｚ２としたとき、前記前側偏光板の透過軸と該第１の位相差板のｓ１軸との成す角と、該ｎｓ１、該ｎｆ１、該ｎｚ１のそれぞれの値及び該第１の位相差板の厚さｄ１の組み合わせと、前記前側偏光板の透過軸と該第２の位相差板のｓ２軸との成す角と、該ｎｓ２、該ｎｆ２、該ｎｚ２のそれぞれの値及び該第２の位相差板の厚さｄ２の組み合わせと、を前記前側基板と後側基板との間に電場を形成していない時の当該液晶表示素子に表示される輝度の最小値が最大となる様に決定する工程と、
前記前側偏光板と前記第１の位相差板との間及び前記後側偏光板と前記第２の位相差板との間のうち少なくとも一方に配置される位相差板における、該位相差板の板面に沿った最も屈折率が大きい方向、該板面に沿った最も屈折率が大きい方向と直交する方向、該板面の法線方向をそれぞれｓ軸、ｆ軸、ｚ軸とし、該ｓ軸、該ｆ軸、該ｚ軸の方向の屈折率をそれぞれｎｓ、ｎｆ、ｎｚとしたとき、前記後側偏光板の透過軸と該位相差板のｓ軸との成す角と、該ｎｓ、該ｎｆ、該ｎｚのそれぞれの値及び該位相差板の厚さの組み合わせと、を前記前側基板と前記後側基板との間に前記液晶層の液晶分子が立ち上がり配向する電場を形成させた時の当該液晶表示素子に表示される輝度の最大値が最小となる様に決定する工程と、
を有する、
ことを特徴とする液晶表示素子の光学補償方法。